【手続補正書】
【提出日】平成22年10月8日(2010.10.8)
【手続補正１】
【補正対象書類名】特許請求の範囲
【補正対象項目名】全文
【補正方法】変更
【補正の内容】
【特許請求の範囲】
【請求項１】
自己拡張性ステントを形成する方法であって、
第一の素線屈曲と該第一の素線屈曲それぞれの両側におけるそれぞれが末端を有する素線部分とを得るために、複数の素線を屈曲させる段階、
第二の素線屈曲を得るために屈曲させる段階と素線部分末端のいくつかを逆方向に編み込む段階とを含む、該素線部分を撚り合わせる段階、および
結合構造の数が素線の数と同等であり、該結合構造が該素線とは異なる、該素線部分末端の対が末端同士並列させる段階を含む、一対の該素線部分末端へ複数の該結合構造のそれぞれを固定する段階
を含む、方法。
【請求項２】
逆方向に編み込む段階の前に前記ステントを熱処置する段階をさらに含む、請求項1記載の方法。
【請求項３】
逆方向に編み込む段階の後に前記ステントを熱処置する段階をさらに含む、請求項1〜2のいずれか一項記載の方法。
【請求項４】
前記素線部分を撚り合わせる段階が機械で撚り合わせる段階を含む、請求項1〜3のいずれか一項記載の方法。
【請求項５】
前記素線部分末端のいくつかを逆方向に編み込む段階が、手作業で撚り合わせる段階を含む、請求項1〜4のいずれか一項記載の方法。
【請求項６】
固定する段階が、素線末端を前記結合構造へ溶接する段階を含む、請求項1〜5のいずれか一項記載の方法。
【請求項７】
撚り合わせる段階の後に前記素線部分をトリミングする段階をさらに含む、請求項1〜6のいずれか一項記載の方法。
【請求項８】
素線部分のそれぞれが末端を有し、該素線部分が撚り合わせられ、該素線部分のいくつかが第二の素線屈曲を含み逆方向に編み込まれ、該素線部分の対が末端同士並列された、第一の素線屈曲の両側における該素線部分をそれぞれが含む、複数の素線と、
結合構造の数が該素線の数と同等であり、該結合構造が該素線とは異なり、該結合構造のそれぞれが素線部分末端の対の1つへ固定された、複数の結合構造と
を含む、自己拡張性ステント。
【請求項９】
前記結合構造のそれぞれが、前記素線部分末端の対を含む通路を含む、請求項8記載のステント。
【請求項１０】
前記結合構造のそれぞれが、前記素線部分末端の対の該素線部分末端のそれぞれへ溶接された、請求項8〜9のいずれか一項記載のステント。
【請求項１１】
前記結合構造が前記ステントの軸方向に並列された、請求項8〜10のいずれか一項記載のステント。
【請求項１２】
前記結合構造が、少なくとも二つの素線交差の分だけ前記ステントの末端から間隔をあけられた、請求項8〜11のいずれか一項記載のステント。
【請求項１３】
素線部分末端の各対における前記素線部分が、互いに間隔をあけられる、請求項8〜12のいずれか一項記載のステント。
【請求項１４】
前記素線がニチノールを含む、請求項8〜13のいずれか一項記載のステント。
【請求項１５】
前記結合構造がニチノールを含む、請求項8〜14のいずれか一項記載のステント。
【手続補正２】
【補正対象書類名】図面
【補正対象項目名】全図
【補正方法】変更
【補正の内容】
【図１】
2010507458.tif 000001
【図２】
2010507458.tif 000002
【図３】
2010507458.tif 000003
【図４Ａ】
2010507458.tif 000004
【図４Ｂ】
2010507458.tif 000005
【図５】
2010507458.tif 000006
【図６】
2010507458.tif 000007
【図７】
2010507458.tif 000008
【図８】
2010507458.tif 000009
【図９】
2010507458.tif 000010
【図１０】
2010507458.tif 000011
【図１１】
2010507458.tif 000012
【図１２】
2010507458.tif 000013
【図１３】
2010507458.tif 000014
【図１４Ａ】
2010507458.tif 000015
【図１４Ｂ】
2010507458.tif 000016
【手続補正３】
【補正対象書類名】明細書
【補正対象項目名】０００９
【補正方法】変更
【補正の内容】
【０００９】
これらの態様および他の態様に付随する詳細は、以下に提供される。
[請求項1001]
解剖学的構造体への挿入のために構成される装置の第一の素線末端部分へ結合構造を固定する段階、ならびに
装置の第二の素線部分へ結合構造を固定する段階
を含む、方法であって、
第一および第二素線末端部分が実質的に並列され、
結合構造が装置の素線ではなく、かつ
装置が、ニッケルおよびチタンを含む一つまたは複数の素線を含む、
方法。
[請求項1002]
装置が、撚り合わせの自己拡張性ステントである、請求項1001記載の方法。
[請求項1003]
第一および第二素線末端部分への結合構造の固定の前に存在する通路を結合構造が有する、請求項1001記載の方法。
[請求項1004]
装置が、二つまたはそれ以上の装置末端を含む撚り合わせの自己拡張性ステントであり、
各装置末端が素線屈曲によって規定され、かつ
全ての装置末端の素線屈曲が、実質的に類似の形態を有する、
請求項1001記載の方法。
[請求項1005]
結合構造が第一溶接領域を形成する溶接によって第一素線末端部分へ固定され、
結合構造が第二溶接領域を形成する溶接によって第二素線末端部分へ結合され、かつ
第一および第二溶接領域が別の溶接領域によって互いに直接連結されていない、
請求項1001記載の方法。
[請求項1006]
結合構造が第一素線末端部分および第二素線末端部分とは別の材料断片である、方法であって、
固定段階の前に、
固定構造を第一素線末端部分と直接接触させる段階、ならびに
固定構造を第二素線末端部分と直接接触させる段階
をさらに含む、
請求項1005記載の方法。
[請求項1007]
装置が多数の半素線を含み、かつ
各半素線が他の一つの素線のみへ固定される、
請求項1001記載の方法。
[請求項1008]
結合構造が、結合構造を横切る装置の素線の下方に配置される、請求項1001記載の方法。
[請求項1009]
装置が、少なくとも二つの装置末端および縦軸を含み、
結合構造が、該装置末端の一つに任意の他の装置末端よりも近接し、かつ
結合構造が、縦軸に対して実質的に平行な線に沿った最も近接した装置末端から離れて、少なくとも一つの素線交差の分だけ間隔をあけられる、
請求項1001記載の方法。
[請求項1010]
装置が、少なくとも二つの装置末端および縦軸を含み、
結合構造が、該装置末端の一つに任意の他の装置よりも近接し、かつ
結合構造が、縦軸に対して実質的に平行な線に沿った最も近接した装置末端から離れて、少なくとも三つの素線交差によって規定される少なくとも一つの装置開口部の分だけ間隔をあけられる、
請求項1001記載の方法。
[請求項1011]
結合構造が、レーザー溶接によって第一素線末端部分へ固定される、請求項1001記載の方法。
[請求項1012]
結合構造が、レーザー溶接によって第二素線末端部分へ固定される、請求項1011記載の方法。
[請求項1013]
結合構造の第一および第二素線末端部分へのレーザー溶接が、部分的に自動化される、請求項1012記載の方法。
[請求項1014]
第二結合構造を装置の第三素線末端部分へ固定する段階、および
第二結合構造を装置の第四素線末端部分へ固定する段階
をさらに含む、請求項1001記載の方法。
[請求項1015]
一つの結合構造を装置の素線末端部分の他の5対の各々へ固定する段階をさらに含む、請求項1001記載の方法。
[請求項1016]
結合構造を軸方向に並列する、請求項1015記載の方法。
[請求項1017]
二つまたはそれ以上の結合構造が、装置の周縁で互いに軸からはずれる、請求項1015記載の方法。
[請求項1018]
一つの結合構造を装置の素線末端の他の5対の各々へレーザー溶接する段階をさらに含む、方法であって、
各結合構造がニッケルおよびチタンを含み、かつ各素線末端部分がニッケルおよびチタンを含む、請求項1001記載の方法。
[請求項1019]
他の5対の一つが装置の二つの異なる素線の末端部分を含む、請求項1018記載の方法。
[請求項1020]
他の5対の一つが装置の同一素線の末端部分を含む、請求項1018記載の方法。
[請求項1021]
結合構造を軸方向に並列する、請求項1018記載の方法。
[請求項1022]
二つまたはそれ以上の結合構造が、装置の周縁で互いに軸からはずれる、請求項1018記載の方法。
[請求項1023]
装置が、各々がニッケルおよびチタンを含む4つの異なる素線を含む、請求項1001記載の方法。
[請求項1025]
装置が、各々がニッケルおよびチタンを含む5つの異なる素線を含む、請求項1001記載の方法。
[請求項1026]
装置が、各々がニッケルおよびチタンを含む6つの異なる素線を含む、請求項1001記載の方法。
[請求項1027]
解剖学的構造体への挿入のために構成される装置の第一素線末端部分へ結合構造を溶接する段階、ならびに
装置の第二素線末端部分へ結合構造を溶接する段階
を含む、方法であって、
結合構造が装置の素線ではなく、かつ
装置が、一つまたは複数のニッケルおよびチタンを含む素線を含む、
方法。
[請求項1028]
第一素線末端部分を第二素線末端部分と実質的に並列する、請求項1027記載の方法。
[請求項1029]
装置が、撚り合わせの自己拡張性ステントである、請求項1027記載の方法。
[請求項1030]
第一および第二素線末端部分への結合構造の溶接の前に存在する通路を結合構造が有する、請求項1027記載の方法。
[請求項1031]
装置が、二つまたはそれ以上の装置末端を含む撚り合わせの自己拡張性ステントであり、
各々の装置末端が素線屈曲によって定義され、かつ
全ての装置末端の素線屈曲が実質的に類似の形態を有する、
請求項1027記載の方法。
[請求項1032]
第一溶接領域が結合構造を第一素線末端部分へ溶接することによって形成され、
第二溶接領域が結合構造を第二素線末端部分へ溶接することによって形成され、かつ
第一および第二溶接領域が別の溶接領域によって互いに直接連結されていない、
請求項1027記載の方法。
[請求項1033]
結合構造が第一素線末端部分および第二素線末端部分とは別の材料断片である、方法であって、
溶接段階の前に、
固定構造を第一素線末端部分と直接接触させる段階、ならびに
固定構造を第二素線末端部分と直接接触させる段階
をさらに含む、
請求項1032記載の方法。
[請求項1034]
装置が多数の半素線を含み、かつ
いかなる半素線も複数の他の半素線へは溶接されない、
請求項1027記載の方法。
[請求項1035]
結合構造が、結合構造を横切る装置の素線の下方に配置される、請求項1027記載の方法。
[請求項1036]
装置が、少なくとも二つの装置末端および縦軸を含み、
結合構造が、該装置末端の一つに任意の他の装置末端よりも近接し、かつ
結合構造が、縦軸に対して実質的に平行な線に沿った最も近接した装置末端から離れて、少なくとも一つの素線交差の分だけ間隔をあけられる、
請求項1027記載の方法。
[請求項1037]
装置が、少なくとも二つの装置末端および縦軸を含み、
結合構造が、該装置末端の一つに任意の他の装置よりも近接し、かつ
結合構造が、縦軸に対して実質的に平行な線に沿った最も近接した装置末端から離れて、少なくとも三つの素線交差によって規定される少なくとも一つの装置開口部の分だけ間隔をあけられる、
請求項1027記載の方法。
[請求項1038]
結合構造が、レーザー溶接によって第一素線末端部分へ溶接される、請求項1027記載の方法。
[請求項1039]
結合構造が、レーザー溶接によって第二素線末端部分へ溶接される、請求項1038記載の方法。
[請求項1040]
結合構造の第一および第二素線末端部分へのレーザー溶接が、部分的に自動化される、請求項1039記載の方法。
[請求項1041]
第二結合構造を装置の第三素線末端部分へ溶接する段階、および
第二結合構造を装置の第四素線末端部分へ溶接する段階
をさらに含む、請求項1027記載の方法。
[請求項1042]
一つの結合構造を装置の素線末端部分の他の5対の各々へ溶接する段階をさらに含む、請求項1027記載の方法。
[請求項1043]
結合構造を軸方向に並列する、請求項1042記載の方法。
[請求項1044]
二つまたはそれ以上の結合構造が、装置の周縁で互いに軸からはずれる、請求項1042記載の方法。
[請求項1045]
一つの結合構造を装置の素線末端部分の他の5対の各々へレーザー溶接する段階をさらに含む、方法であって、
各結合構造がニッケルおよびチタンを含み、各素線末端部分がニッケルおよびチタンを含む、
請求項1027記載の方法。
[請求項1046]
他の5対の一つが、装置の二つの異なる素線の末端部分を含む、請求項1045記載の方法。
[請求項1047]
他の5対の一つが、装置の同一素線の末端部分を含む、請求項1045記載の方法。
[請求項1048]
結合構造を軸方向に並列する、請求項1045記載の方法。
[請求項1049]
二つまたはそれ以上の結合構造が、装置の周縁で互いに軸からはずれる、請求項1045記載の方法。
[請求項1050]
装置が、各々がニッケルおよびチタンを含む4つの異なる素線を含む、請求項1027記載の方法。
[請求項1051]
装置が、各々がニッケルおよびチタンを含む5つの異なる素線を含む、請求項1027記載の方法。
[請求項1052]
装置が、各々がニッケルおよびチタンを含む6つの異なる素線を含む、請求項1027記載の方法。
[請求項1053]
二つの異なる素線末端部分がニッケルおよびチタンを含み、かつ
結合構造が装置の素線ではない、
互いに実質的に並列された二つの異なる素線末端部分へ固定された結合構造
を含む、一つまたは複数の素線を有しかつ解剖学的構造体への挿入のために構成される装置。
[請求項1054]
撚り合わせの自己拡張性ステントとして構成される、請求項1053記載の装置。
[請求項1055]
結合構造が、二つの素線末端部分が配置される通路を有する、請求項1053記載の装置。
[請求項1056]
各々の装置末端が素線屈曲によって規定され、かつ
全ての装置末端の素線屈曲が実質的に類似の形態を有する、
二つまたはそれ以上の装置末端を含み、
撚り合わせの自己拡張性ステントとして構成される、
請求項1053記載の装置。
[請求項1057]
結合構造が、第一溶接領域を形成する溶接によって第一素線末端部分へ固定され、
結合構造が、第二溶接領域を形成する溶接によって第二素線末端部分へ固定され、かつ
第一および第二溶接領域が別の溶接領域によって互いに直接連結されていない、
請求項1053記載の装置。
[請求項1058]
装置が多数の半素線を含み、かつ
各半素線が他の一つの半素線のみへ固定される、
請求項1053記載の装置。
[請求項1059]
結合構造が、結合構造を横切る装置の素線の下方に配置される、請求項1053記載の装置。
[請求項1060]
装置が、少なくとも二つの装置末端および縦軸を含み、
結合構造が、該装置末端の一つに任意の他の装置末端よりも近接し、かつ
結合構造が、縦軸に対して実質的に平行な線に沿った最も近接した装置末端から離れて、少なくとも一つの素線交差の分だけ間隔をあけられる、
請求項1053記載の装置。
[請求項1061]
装置が、少なくとも二つの装置末端および縦軸を含み、
結合構造が、該装置末端の一つに任意の他の装置よりも近接し、かつ
結合構造が、縦軸に対して実質的に平行な線に沿った最も近接した装置末端から離れて、少なくとも三つの素線交差によって規定される少なくとも一つの装置開口部の分だけ間隔をあけられる、
請求項1053記載の装置。
[請求項1062]
結合構造が、第一素線末端部分へレーザー溶接される、請求項1053記載の装置。
[請求項1063]
結合構造が、第二素線末端部分へレーザー溶接される、請求項1062記載の装置。
[請求項1064]
別の対の素線末端部分へ固定された第二結合構造をさらに含む、請求項1053記載の装置。
[請求項1065]
素線末端部分の他の5対の各々へ固定された一つの結合構造をさらに含む、請求項1053記載の装置。
[請求項1066]
結合構造を軸方向に並列する、請求項1065記載の装置。
[請求項1067]
二つまたはそれ以上の結合構造が、装置の周縁で互いに軸からはずれる、請求項1065記載の装置。
[請求項1068]
各結合構造がニッケルおよびチタンを含み、かつ
各素線末端部分がニッケルおよびチタンを含む、
装置の素線末端部分の他の5対の各々へレーザー溶接された一つの結合構造
をさらに含む、請求項1032記載の装置。
[請求項1069]
他の5対の一つが、装置の二つの異なる素線の末端部分を含む、請求項1068記載の装置。
[請求項1070]
他の5対の一つが、装置の同一素線の末端部分を含む、請求項1068記載の装置。
[請求項1071]
結合構造を軸方向に並列する、請求項1068記載の装置。
[請求項1072]
二つまたはそれ以上の結合構造が、装置の周縁で互いに軸からはずれる、請求項1068記載の装置。
[請求項1073]
二つの異なる素線末端部分がニッケルおよびチタンを含み、かつ
結合構造が装置の素線ではない、
二つの異なる素線末端部分へ溶接された結合構造
を含む、一つまたは複数の素線を有しかつ解剖学的構造体への挿入のために構成される装置。
[請求項1074]
撚り合わせの自己拡張性ステントとして構成される、請求項1073記載の装置。
[請求項1075]
結合構造が、二つの素線末端部分が配置される通路を有する、請求項1073記載の装置。
[請求項1076]
各々の装置末端が素線屈曲によって規定され、かつ
全ての装置末端の素線屈曲が実質的に類似の形態を有する、
二つまたはそれ以上の装置末端を含み、
撚り合わせの自己拡張性ステントとして構成される、
請求項1073記載の装置。
[請求項1077]
装置が、第一素線末端部分を結合構造へ固定する溶接によって形成される第一溶接領域、および第二素線末端部分を結合構造へ固定する溶接によって形成される第二溶接領域を含み、かつ
第一および第二溶接領域が、別の溶接領域によって互いに直接連結されていない、
請求項1073記載の装置。
[請求項1078]
装置が多数の半素線を含み、かつ
各半素線が他の一つの半素線のみへ固定される、
請求項1073記載の装置。
[請求項1079]
結合構造が、結合構造を横切る装置の素線の下方に配置される、請求項1073記載の装置。
[請求項1080]
装置が、少なくとも二つの装置末端および縦軸を含み、
結合構造が、該装置末端の一つに任意の他の装置末端よりも近接し、かつ
結合構造が、縦軸に対して実質的に平行な線に沿った最も近接した装置末端から離れて、少なくとも一つの素線交差の分だけ間隔をあけられる、
請求項1073記載の装置。
[請求項1081]
装置が、少なくとも二つの装置末端および縦軸を含み、
結合構造が、該装置末端の一つに任意の他の装置よりも近接し、かつ
結合構造が、縦軸に対して実質的に平行な線に沿った最も近接した装置末端から離れて、少なくとも3つの素線交差によって規定される少なくとも一つの装置開口部の分だけ間隔をあけられる、
請求項1073記載の装置。
[請求項1082]
結合構造が、第一素線末端部分へレーザー溶接される、請求項1073記載の装置。
[請求項1083]
結合構造が、第二素線末端部分へレーザー溶接される、請求項1082記載の装置。
[請求項1084]
別の対の素線末端部分へ溶接された第二結合構造をさらに含む、請求項1073記載の装置。
[請求項1085]
素線末端部分の他の5対の各々へ溶接された一つの結合構造をさらに含む、請求項1073記載の装置。
[請求項1086]
結合構造を軸方向に並列する、請求項1085記載の装置。
[請求項1087]
二つまたはそれ以上の結合構造が、装置の周縁で互いに軸からはずれる、請求項1085記載の装置。
[請求項1088]
各結合構造がニッケルおよびチタンを含み、かつ
各素線末端部分がニッケルおよびチタンを含む、
装置の素線末端部分の他の5対の各々へレーザー溶接された一つの結合構造
をさらに含む、請求項1032記載の装置。
[請求項1089]
他の5対の一つが、装置の二つの異なる素線の末端部分を含む、請求項1088記載の装置。
[請求項1090]
他の5対の一つが、装置の同一素線の末端部分を含む、請求項1088記載の装置。
[請求項1091]
結合構造を軸方向に並列する、請求項1088記載の装置。
[請求項1092]
二つまたはそれ以上の結合構造が、装置の周縁で互いに軸からはずれる、請求項1088記載の装置。